(57)【要約】【課題】円筒状の管体の端末へ取り付けやすい端末キャップを提供する。【解決手段】管体の外側に配置させる頭部と、前記管体の内側へ挿入させる挿入部を備えさせ、前記挿入部に外方へ突出する突部を複数形成し、前記挿入部は前記管体の中心に位置するように配置させると共に、その突出方向の延長線上に前記管体の中心が位置しないように形成させる。前記挿入部を管体の内側へ挿入し、前記各突部を前記管体の内周面へ当接させたときに、管体の内周面に当接した各突部が根本から先まで撓むように全体的に変形することで、前記挿入部をより容易に管体の内側へ挿入させて端末キャップを管体へ取り付けることができる。【選択図】        図２
2018030635.tif 000002
【特許請求の範囲】
【請求項１】
円筒形状の管体の端末に取り付けられる円筒管向け端末キャップであって、
管体の外側に配置される頭部と、前記管体の内側へ挿入される挿入部を備え、
前記挿入部には外方へ突出する突部が複数形成されており、
前記挿入部は前記管体の中心に位置するように配置されると共に、
前記各突部は該突部の突出方向の延長線上に前記管体の中心が位置しないように形成されていることを特徴とする端末キャップ。
【請求項２】
管体に取りつけられる前の状態において、前記各突部が直線状に突出するように形成されていることを特徴とする請求項１に記載の端末キャップ。
【請求項３】
前記各突部の端部が前記頭部へ一体的に接続していることを特徴とする請求項１又は２に記載の端末キャップ。
【発明の詳細な説明】
【技術分野】
【０００１】
本発明は、鋼管など円筒状の筒体の端部に取り付けて保護するための端末キャップに関するものである。
【背景技術】
【０００２】
鋼管などの端部の変形などを保護し、また、切断部分のバリなど鋭利な形状となされた管体の端部に接触することによる使用者のケガなどを防止するために、端末キャップを管体の端部に取り付ける方法は、従来よりよく用いられている。
【０００３】
例えば、特許文献１には、略半球体からなる拡頭の底面に管体を一体的に突設させたパイプ用保護キャップの構成が示されており、前記管体の外壁面に適宜間隔をおいて突条または突起（５）を一体的に突設する構成が示されている。
また、特許文献２には、管の開口面より広い面積を有し、中央部に止軸が突設された塞ぎ板と、前記止軸に着脱自在に嵌着する止筒の外周に、管内面に支持する複数の弾性羽根板を有す支持具とからなる塞ぎ具において、各弾性羽根板には、長手方向に適宜間隔を存して切断ガイドを形成して成る管端塞ぎ具の発明が開示されている。
【先行技術文献】
【特許文献】
【０００４】
【特許文献１】実開昭４９−６８０１８号公報
【特許文献２】実開平２−２７０９３号公報
【発明の概要】
【発明が解決しようとする課題】
【０００５】
特許文献１に示される如きパイプ用保護キャップは、パイプの内側へ管体を挿入させて管体から突設させた突起（５）をパイプの内側面に当接させたときに、各突起（５）が突出する方向である外側から押しつぶされるように圧縮変形するので、変形の自由度が小さく、パイプへ取り付ける際に大きな力が必要になるという問題があった。
また、特許文献２に示される管端塞ぎ具は、一方向に湾曲させた複数の弾性羽根板を設け、管内へ挿入させたときに前記弾性羽根板が撓み、その弾発力で管内壁へ形成するように設けている。しかしながら、各弾性羽根板の根本においては管の中心から径方向外側へ向かうように形成されているため先端よりも撓みにくく、弾性羽根板を撓ませるためにその板厚をより小さく設けなければならず、取り付けた管端より容易に外れてしまうという問題が考えられる。
【０００６】
本発明は、円筒状の管体の端末へ取り付けやすい端末キャップを提供するものである。
【課題を解決するための手段】
【０００７】
上記目的を達成するため、本発明は以下のような構成としている。
即ち、本発明に係る端末キャップは、円筒形状の管体の端末に取り付けられる円筒管向け端末キャップであって、
管体の外側に配置される頭部と、前記管体の内側へ挿入される挿入部を備え、
前記挿入部には外方へ突出する突部が複数形成されており、
前記挿入部は前記管体の中心に位置するように配置されると共に、
前記各突部は該突部の突出方向の延長線上に前記管体の中心が位置しないように形成されていることを特徴とするものである。
【０００８】
本発明に係る端末キャップによれば、管体の外側に配置させる頭部と、前記管体の内側へ挿入させる挿入部を備えさせ、前記挿入部に外方へ突出する突部を複数形成させるので、前記挿入部を管体の内側へ挿入し、前記各突部を前記管体の内周面へ当接させて、この端末キャップを管体の端部へ取り付けることができる。
また、前記挿入部を前記管体の中心に位置するように配置させると共に、前記各突部の突出方向の延長線上に前記管体の中心が位置しないように各突部を形成するので、管体の内周面に当接した各突部が根本から先まで撓むように全体的に変形し、前記挿入部をより容易に管体の内側へ挿入させて端末キャップを管体へ取り付けることができる。
【０００９】
また、管体に取りつける前の状態において、前記各突部を直線状に突出するように形成すれば、各突部の変形が根本から先まで全体が撓むような変形となされやすくなされ、前記挿入部をより容易に管体の内側へ挿入させることができ、好ましい。
【００１０】
また、前記各突部の端部を前記頭部へ一体的に接続させれば、頭部付近における前記各突部の撓みが前記頭部への接続により抑制されて変形しにくくなされる。このため、前記挿入部を前記管体へ挿入させるとき、頭部より離れた各突部の部分においては全体が撓むように変形して容易に管体の内側へ挿入させることができるが、頭部が前記管体の端へ当接する位置まで前記挿入部を管体の内側へ挿入させたとき、管体の内周面に当接する前記各突部の撓みが前記頭部への接続により抑制されて変形しにくくなされるので、前記端末キャップを前記管体へより強固に取り付けることができ、好ましい。
【発明の効果】
【００１１】
本発明の端末キャップによれば、円筒状の管体の端末へより容易に取り付けることができる。
【図面の簡単な説明】
【００１２】
【図１】本発明に係る端末キャップの実施の一形態を示す正面側からの斜視図である。
【図２】図１の端末キャップの背面側からの斜視図である。
【図３】図１の端末キャップの、（イ）は側面図であり、（ロ）は背面図である。
【図４】図３のＡ−Ａ断面図である。
【図５】図１の端末キャップを管体へ取り付けた状態を示す部分断面図である。
【図６】図５のＡ−Ａ断面図である。
【図７】図６の要部を拡大した図である。
【図８】本発明に係る端末キャップの実施の他の一形態を示す正面側からの斜視図である。
【図９】図８の端末キャップの背面側からの斜視図である。
【図１０】図８の端末キャップの、（イ）は側面図であり、（ロ）は背面図である。
【図１１】図１０のＡ−Ａ断面図である。
【発明を実施するための形態】
【００１３】
本発明の実施の形態を図に基づき具体的に説明する。
図面において、１は端末キャップである。
図１に示す端末キャップ１は、正面側に配置させた頭部２と、背面側に配置させた挿入部３とを一体的に形成している。
【００１４】
図１に示す端末キャップ１の頭部２は略円錐台形状に形成しており、正面側に配置させる円形の面２１と、背面側に配置させるより径大な円形の面２３と、これらの外縁にそれぞれ接続する傾斜面２２とを備えている。
前記挿入部３は、頭部２の面２３から背面側へ突出するように設けている。
【００１５】
図３は図１の端末キャップ１の、（イ）は側面図であり、（ロ）は背面図であり、図４は図３のＡ−Ａ断面図である。
前記挿入部３は背面側へ突出する円筒状の筒壁３１を備え、筒壁３１の内側には中空部３２が設けられている。
【００１６】
筒壁３１の外周面には外方へ突出する突部３５を複数形成しており、筒壁３１の周方向へ等間隔に配置して合計８個の突部３５を設けている。
各突部３５は同じ大きさの略矩形板状に形成しており、筒壁３１の外周面から外方へ直線状に突出するように設けている。
各突部３５は、背面側の端を前記筒壁３１の端と面一に設け、正面側の端を前記頭部２の面２３へ接続させている。
また、各突部３５は、背面側の端部付近において、背面側へ至るほど突出の大きさが小さくなるように設けた傾斜部３６を形成している。
【００１７】
各突部３５は、円筒状の筒壁３１の外周面から斜め方向へ突出する傾斜状に形成している。
具体的には、筒壁３１の外周面において、周方向の接線に対して垂直方向へ突出させるのではなく、垂直方向に対して一定の角度を有する斜め方向へ突出させて設けている。
即ち、挿入部３の各突部３５は、突出方向の延長線上に筒壁３１の円筒形状の中心が位置していない。
尚、各突部３５は、それぞれの突出する方向と、前記筒壁３１の周方向の接線とのなす角度が一定となるように設けている。
【００１８】
前記端末キャップ１は、外力を受けて変形した後で元の状態に復元する弾性変形可能な材料で形成している。具体的には、エチレンプロピレンゴム（ＥＰＤＭ）で形成しているが、これに限るものではなく、スチレンブタジエンゴムなど他の合成ゴムや、天然ゴムや、エラストマーなど他の弾性材料を用いても良い。
【００１９】
図５は図１の端末キャップ１を管体５へ取り付けた状態を示す部分断面図であり、図６は図５のＡ−Ａ断面図であり、図７は図６の要部を拡大した図である。
前記端末キャップ１は、挿入部３を円筒状の管体５の内側へ挿入させて取り付けるように設けており、管体５の管壁５１の端を頭部２の面２３へ当接するまで挿入部３を挿入させて取り付ける。
端末キャップ１の挿入部３を管体５の内側へ挿入させると、挿入部３が管体５の中心に配置され、挿入部３の各突部３５が管壁５１の内周面へ当接する。このとき、図６、７に示すように、各突部３５が弾性変形して、端末キャップ１が管体５へ強固に取り付けられるように設けている。
【００２０】
各突部３５は、挿入部３の筒壁３１の外周面から斜め方向に突出させることで、各突部３５が管壁５１に当接して変形するとき、板状の各突部３５が撓むように弾性変形するように設けている。
図７では、変形する前の突部３５の状態を点線で描き、変形前と変形後の突部３５の状態の概要を示している。各突部３５は、筒壁３１に接続する根本から先まで全体に亘り、筒壁３１に対して斜め方向に突出させているので、各突部３５が管壁５１に当接したとき、図７に示すように、各突部３５が全体に亘って撓むように変形するように形成している。このように各突部３５を設けることで、各突部３５に突出方向から押しつぶされるように変形する圧縮変形が生じにくくなされ、各突部３５がより変形しやすくなるように設けている。即ち、上記のように各突部３５を形成することで、挿入部３を管体５へ挿入しやすく、端末キャップ１の管体５への取り付けをより容易なものとしている。
【００２１】
前記各突部３５は、正面側の端が前記頭部２の面２３に接続している。
このため、各突部３５は管壁５１に当接して変形するときに、背面側の端においてその変形が前記面２３との接続によって抑制され、突部３５の他の部位より若干変形しにくくなされている。
このため、管壁５１の端が頭部２へ当接するまで挿入部３を管体５へ挿入させたとき、他の部位よりも若干変形しにくくなされた各突部３５の背面側の端が変形して挿入され、端末キャップ１がより強固に管体５へ取り付けられるように設けている。
【００２２】
前記端末キャップ１は、挿入部３の筒壁３１の内側に中空部３２を設けることで、各突部３５が管体５の管壁５１へ当接したときに、各突部３５のみならず、筒壁３１が変形しやすくなされるように設けている。このように挿入部３を設けることで、挿入部３を管体５へ挿入しやすくし、端末キャップ１の取り付けを容易なものとしている。
【００２３】
尚、前記挿入部３は、管体５へ挿入させたときに、図６に示すように、挿入部３の中空部３２の中心が管壁５１の中心と同じ位置に配置されるように形成している。即ち、管体５へ挿入させた挿入部３の筒壁３１と管壁５１とが同心円状に配置される。これにより、筒壁３１の外周面から斜め方向へ突出させる各突部３５が、前記管壁５１に対してもその全体が斜め方向に配置される傾斜状となされる。即ち、各突部３５は、その突出方向の延長線上に管体５の円筒形状の中心が位置しておらず、各突部３５はその全体において、前記管体５の中心から外側へ向かう径方向に対し傾斜状に配置させている。
【００２４】
図８は本発明に係る端末キャップ１の実施の他の一形態を示す正面側からの斜視図であり、図９は図８の端末キャップ１の背面側からの斜視図であり、図１０は図８の端末キャップ１の、（イ）は側面図であり、（ロ）は背面図であり、図１１は図１０のＡ−Ａ断面図である。
図８〜１１に示す端末キャップ１は、頭部２の形状が図１〜７に示す端末キャップ１と異なっており、その他の構成は同一である。
即ち、図８〜１１に示す端末キャップ１は、頭部２の背面側に配置させた面２３から挿入部３を突出させて設けており、前記挿入部３には円筒形状の筒壁３１と、その外周面から外側斜め方向へ突出する複数の突部３５とを形成させている。
そして、円筒形状の管体５の内側へ挿入部３を挿入させたとき、前記各突部３５が管壁５１の内周面に当接して、各突部３５が全体的に撓むように弾性変形するように設けている。
【００２５】
図８〜１１に示す端末キャップ１の頭部２は、正面側に円形の面２１を備え、背面側に円形の面２３を備えている。前記頭部２の面２３には、前記挿入部３を突出させて形成すると共に、略円筒形状の外壁部２５を背面側へ突出させて形成している。
前記外壁部２５は前記頭部２の円形の面２３の外縁に沿って全周に亘り形成させており、その外周面が頭部２の面２１の外縁へ接続するように形成している。
また、外壁部２５の筒壁は、正面側から背面側へ至るほど厚みの大きさが大きくなるように設けている。
【００２６】
図８〜１１に示す端末キャップ１は、円筒形状の管体５の内側へ挿入部３１を挿入させて端末キャップ１を取り付けたときに、管体５の端が前記頭部２の面２３へ当接し、前記外壁部２５が管体５の端部の外側を覆うように配置されるように設けている。
このように外壁部２５が管体５の端部外側を覆うことで、管体５の端部に外側へ突出するようなバリや突起などが存在していた場合でも、使用者が接触してケガをするような問題を防止できる。
【００２７】
尚、本発明に係る端末キャップ１は、上記実施形態に限定されるものではなく、本発明の要旨を逸脱しない範囲で種々の変更が可能である。
例えば、挿入部３に形成した前記各突部３５は、前記筒壁３１から斜め方向へ直線状に突出するような略矩形板状に設けているがこれに限るものではなく、筒壁３１から斜め方向へ突出する曲板形状に形成してもよい。
【符号の説明】
【００２８】
１    端末キャップ
２    頭部
２１  面
２２  傾斜面
２３  面
２５  外壁部
３    挿入部
３１  筒壁
３２  中空部
３５  突部
３６  傾斜部
５    管体
５１  管壁
【図１】
2018030635.tif 000003
【図２】
2018030635.tif 000004
【図３】
2018030635.tif 000005
【図４】
2018030635.tif 000006
【図５】
2018030635.tif 000007
【図６】
2018030635.tif 000008
【図７】
2018030635.tif 000009
【図８】
2018030635.tif 000010
【図９】
2018030635.tif 000011
【図１０】
2018030635.tif 000012
【図１１】
2018030635.tif 000013